(57)【要約】垂直取り付けバッテリ端子の取り付けアッセンブリは、端子ポストを有するバッテリを含む。バッテリの端子ポストと係合するように成形された接触部を含むポスト装着構造が提供される。ポスト装着構造は、角度付きスライド面を有するウェッジ移動部を含む。ポスト装着構造内に内部ウェッジが配置されている。内部ウェッジは、角度付き壁及び端子接点を含む。コアボルトは、回転固定され、ポスト装着構造及び内部ウェッジの中を通って延びる。ナットは、コアボルトに通され、内部ウェッジの上縁に接触する。内部ウェッジの角度付き壁は、ポスト装着構造の角度付きスライド面と係合する。ナットを回転させることによって、内部ウェッジに下向き力が加わる。角度付き壁及びスライド面の接触は、下向き力を水平力に均等に変換する。端子接点及び接触部はバッテリ端子ポストに係合する。【選択図】図１
2019532476.tif 000002
【特許請求の範囲】
【請求項１】
バッテリ端子に装着するための、垂直取り付けバッテリ端子の取り付けアッセンブリであって、
端子ポストを有するバッテリと、
角度付きスライド面によって連結された対向壁を含むウェッジ移動部とともに形成され、バッテリの前記端子ポストを取り囲むように成形された接触部を含むポスト装着構造と、
自身から延びる端子接点を含み、角度付き壁によって連結された対向する側壁を有するＵ字状体を含み、前記ポスト装着構造内に配置される内部ウェッジと、
回転固定され、前記ポスト装着構造の中を通って延び、前記内部ウェッジの離隔された対向する前記側壁によって定められる空洞内を延びるコアボルトと、
前記コアボルトに通され、前記内部ウェッジの上縁に接触するナットと
を備え、
前記内部ウェッジの前記角度付き壁は、前記ポスト装着構造の前記角度付きスライド面と係合し、
前記ナットを回転させることによって、前記内部ウェッジに下向き力が加わり、
前記角度付き壁及びスライド面の接触は、前記下向き力を、前記端子接点を前記端子ポストとの係合に移動させる水平力に均等に変換する
垂直取り付けバッテリ端子の取り付けアッセンブリ。
【請求項２】
前記接触部は、前記ウェッジ移動部とともにモノリシックに形成されている
請求項１に記載の垂直取り付けバッテリ端子の取り付けアッセンブリ。
【請求項３】
前記接触部は環状壁を含み、
前記環状壁は、開放された頂部及び底部を有し、
前記環状壁は、前記ウェッジ移動部に移行するネックを含む
請求項１に記載の垂直取り付けバッテリ端子の取り付けアッセンブリ。
【請求項４】
前記ネックは、自身内に形成され、前記端子接点に適合する切出しスロットを含む
請求項３に記載の垂直取り付けバッテリ端子の取り付けアッセンブリ。
【請求項５】
前記ウェッジ移動部は、開放された頂部と底面とを含み、
前記底面は、自身に形成され、前記コアボルトを受け入れるスロットを有する
請求項１に記載の垂直取り付けバッテリ端子の取り付けアッセンブリ。
【請求項６】
前記端子接点は、対向する前記側壁に対して外側に延びる湾曲体を含む
請求項１に記載の垂直取り付けバッテリ端子の取り付けアッセンブリ。
【請求項７】
前記湾曲体は可変的な係合半径を定める
請求項６に記載の垂直取り付けバッテリ端子の取り付けアッセンブリ。
【請求項８】
前記コアボルトの周囲に配置され、前記内部ウェッジの前記上縁に接触するワッシャを備える
請求項１に記載の垂直取り付けバッテリ端子の取り付けアッセンブリ。
【請求項９】
前記バッテリに配置されるバッテリ電気部品を更に備え、
前記コアボルトは、前記バッテリ電気部品によって回転固定される
請求項１に記載の垂直取り付けバッテリ端子の取り付けアッセンブリ。
【請求項１０】
前記コアボルトはヘッド部を含み、
前記ヘッド部は、自身から延びて前記ナットと係合する通しシャフトを有し、
前記バッテリ電気部品は空洞を含み、
前記空洞は、自身内に形成されたスルーホールを有し、
前記通しシャフトは前記スルーホールを通って延び、
前記コアボルトの前記ヘッド部は、前記空洞内に配置され、回転制限される
請求項９に記載の垂直取り付けバッテリ端子の取り付けアッセンブリ。
【請求項１１】
前記コアボルトはヘッド部を含み、
前記ヘッド部は、自身から延びて前記ナットと係合する通しシャフトを有し、
前記バッテリ電気部品は、前記コアボルトを回転制限する前記コアボルトの前記ヘッド部に連結される
請求項９に記載の垂直取り付けバッテリ端子の取り付けアッセンブリ。
【請求項１２】
バッテリ端子に装着するための、垂直取り付けバッテリ端子の取り付けアッセンブリであって、
端子ポストを有するバッテリと、
前記バッテリの前記端子ポストに係合するように成形された接触部と、角度付きスライド面を含むウェッジ移動部とを含むポスト装着構造と、
前記ポスト装着構造内に配置され、角度付き壁及び端子接点を含む内部ウェッジと、
回転固定され、前記ポスト装着構造及び内部ウェッジの中を通って延びるコアボルトと、
前記コアボルトに通され、前記内部ウェッジの上縁に接触するナットと
を備え、
前記内部ウェッジの前記角度付き壁は、前記ポスト装着構造の前記角度付きスライド面と係合し、
前記ナットを回転させることによって、前記内部ウェッジに下向き力が加わり、
前記角度付き壁及びスライド面の接触は、前記下向き力を水平力に均等に変換し、
前記端子接点及び接触部は前記バッテリ端子に係合する
垂直取り付けバッテリ端子の取り付けアッセンブリ。
【請求項１３】
前記ウェッジ移動部は、前記角度付きスライド面によって連結された対向壁を含む
請求項１２に記載の垂直取り付けバッテリ端子の取り付けアッセンブリ。
【請求項１４】
前記内部ウェッジは、前記角度付き壁によって連結された対向する側壁を有するＵ字状体を含み、
対向する前記側壁は、自身から延びる前記端子接点を含む
請求項１２に記載の垂直取り付けバッテリ端子の取り付けアッセンブリ。
【請求項１５】
前記接触部は、開放された頂部及び底部を有する環状壁を含み、
前記環状壁は、前記ウェッジ移動部に移行するネックを含み、
前記ネックは、自身内に形成され、前記端子接点に適合する切出しスロットを含む
請求項１２に記載の垂直取り付けバッテリ端子の取り付けアッセンブリ。
【請求項１６】
前記端子接点は、対向する前記側壁に対して外側に延びる湾曲体を含み、
前記湾曲体は可変的な係合半径を定める
請求項１４に記載の垂直取り付けバッテリ端子の取り付けアッセンブリ。
【請求項１７】
前記バッテリに配置されるバッテリ電気部品を更に備え、
前記コアボルトは、前記バッテリ電気部品によって回転固定される
請求項１２に記載の垂直取り付けバッテリ端子の取り付けアッセンブリ。
【請求項１８】
前記コアボルトはヘッド部を含み、
前記ヘッド部は、自身から延びて前記ナットと係合する通しシャフトを有し、
前記バッテリ電気部品は空洞を含み、
前記空洞は、自身内に形成されたスルーホールを有し、
前記通しシャフトは、前記スルーホールの中を通って延び、
前記コアボルトの前記ヘッド部は、前記空洞に配置され、回転制限される
請求項１７に記載の垂直取り付けバッテリ端子の取り付けアッセンブリ。
【請求項１９】
前記コアボルトはヘッド部を含み、
前記ヘッド部は、自身から延びて前記ナットと係合する通しシャフトを有し、
前記バッテリ電気部品は、前記コアボルトを回転制限する前記コアボルトの前記ヘッド部に連結される
請求項１７に記載の垂直取り付けバッテリ端子の取り付けアッセンブリ。
【請求項２０】
バッテリ端子に装着するための、垂直取り付けバッテリ端子の取り付けアッセンブリであって、
端子ポストを有するバッテリと、
角度付きスライド面によって連結された対向壁を含むウェッジ移動部とともに形成され、前記バッテリの前記端子ポストを取り囲むように成形された接触部を含むポスト装着構造と、
自身から延びる端子接点を含み、角度付き壁によって連結された対向する側壁を有するＵ字状体を含み、前記ポスト装着構造内に配置される内部ウェッジと、
前記ポスト装着構造の中を通って延び、前記内部ウェッジの離隔された対向する前記側壁によって定められた空洞内で延びるコアボルトを回転固定し、前記バッテリに配置されるバッテリ電気部品と、
前記コアボルトに通し、前記内部ウェッジの上縁に接触するナットと
を備え、
前記内部ウェッジの前記角度付き壁は、前記ポスト装着構造の前記角度付きスライド面に係合し、
前記ナットを回転させることによって、前記内部ウェッジに下向き力が加わり、
前記角度付き壁及びスライド面の接触は、前記下向き力を、バッテリ端子との係合に前記端子接点を移動させる水平力に均等に変換する
垂直取り付けバッテリ端子の取り付けアッセンブリ。
【発明の詳細な説明】
【技術分野】
【０００１】
本発明は、バッテリ端子に装着するための、垂直取り付けバッテリ端子の取り付け構造に関する。
【背景技術】
【０００２】
現在の先行技術であるバッテリ接続は、バッテリ端子ポストに装着するための様々な設計及び構造を含んでもよい。例えば、水平及び対角線のボルトアッセンブリを、クランプに連結し、端子ポストの周囲でクランプを締めてもよい。
【先行技術文献】
【特許文献】
【０００３】
【特許文献１】米国特許出願公開第２０１５／０３５７７３１号明細書
【発明の概要】
【発明が解決しようとする課題】
【０００４】
以上のような構造は、不均一な装着力がクランプに加わり、接続がバッテリポストから緩むという問題を有する可能性がある。更に、このような先行技術のバッテリ接続は、構造の形状に起因する制限を有する可能性がある。例えば、バッテリは、バッテリポストの近傍において、様々な壁、カバー又は他の面を含み、これらは、先行技術の構造のボルトを締める道具のアクセス容易性を制限する可能性がある。
【０００５】
更に、バッテリ型接続は、垂直ボルトアッセンブリ型機構を含んでもよい。このようなアッセンブリでは、クランプバンドを、バッテリポストの周囲に配置してもよい。クランプバンドの一側は部品に対して固定され、他側は、クランプバンドの周囲にクランプ力を加えるナット又はポストの移動によって移動可能である。このようなアッセンブリは、複雑であり、バッテリポストに装着されたクランプバンドの周囲に均等な力を十分に伝達しない。
【０００６】
更なる設計は、相互に対して移動し、端子ポストの周辺に配置されたクランプの周囲にクランプ力を加える多数のウェッジブロックを含んでもよい。また、このような設計は、ナットのトルクから、バッテリポストの周辺に配置されたクランプ機構への力の不十分な変換を引き起こし、不十分な量のクランプ力が提供される可能性がある。更に、このような機構は、多数の部品を含み、複雑なアッセンブリ工程及び部品コストの増加という結果をもたらす可能性がある。
【０００７】
従って、垂直に取り付けることを可能にし、付加部品をバッテリポストに装着することを可能にするバッテリ端子接続アッセンブリの改善が技術的に必要である。また、部品数が少なく、様々な型のバッテリに組み込むことを容易にする垂直取り付け端子の取り付けアッセンブリの改善が技術的に必要である。また、取り付け面積が小さく、比較的に制限された空間に配置するバッテリを含む様々な型のバッテリに対して、バッテリポストへの部品の容易な接続を妨げない垂直取り付けバッテリ端子の取り付けアッセンブリが技術的に必要である。
【課題を解決するための手段】
【０００８】
１つの態様では、端子ポストを有するバッテリを含む垂直取り付けバッテリ端子の取り付けアッセンブリを開示する。接触部を含むポスト装着構造は、ウェッジ移動部とともに形成される。接触部は、バッテリの端子を取り囲むように成形されている。ウェッジ移動部は、角度付きスライド面に連結される対向壁を含む。端子ポスト構造内に内部ウェッジが配置されている。内部ウェッジは、角度付き壁によって連結された対向する側壁を有するＵ字状体を含む。対向する側壁は、自身から延びる端子接点を含む。コアボルトは、回転固定され、ポスト装着構造の中を通って延び、内部ウェッジの離隔された対向する側壁によって定められる空洞内を延びる。ナットをコアボルトに通し、内部ウェッジの上縁に接触させる。内部ウェッジの角度付き壁は、ポスト装着構造の角度付きスライド面と係合する。ナットを回転させることで、内部ウェッジに下向き力を加える。角度付き壁及びスライド面の接触は、下向き力を、端子接点を端子ポストとの係合に移動させる水平力に均等に変換する。
【０００９】
もう１つの態様では、端子ポストを有するバッテリを含む垂直取り付けバッテリ端子の取り付けアッセンブリを開示する。取り付け構造は、バッテリの端子ポストと係合するように成形された接触部を含むポスト装着構造を含む。ポスト装着構造は、角度付きスライド面を有するウェッジ移動部を含む。内部ウェッジをポスト装着構造内に配置する。内部ウェッジは、角度付き壁と端子接点とを含む。コアボルトは、回転固定され、ポスト装着構造及び内部ウェッジの中を通って延びている。ナットを、コアボルトに通し、内部ウェッジの上縁に接触させる。内部ウェッジの角度付き壁は、ポスト装着構造の角度付きスライド面と係合する。ナットを回転させることによって、内部ウェッジに下向き力を加える。角度付き壁及びスライド面の接触は、下向き力を水平力に均等に変換する。端子接点及び接触部はバッテリ端子ポストと係合する。
【図面の簡単な説明】
【００１０】
【図１】垂直取り付けバッテリ端子の取り付けアッセンブリの分解斜視図である。
【図２】組立状態での図１の取り付けアッセンブリの斜視図である。
【図３】非係合位置での取り付けアッセンブリの側断面図である。
【図４】係合位置での取り付けアッセンブリの側断面図である。
【図５】ポスト装着構造、内部ウェッジ、コアボルト及びナット間に加わる力を詳述する側面図である。
【図６】バッテリに連結され、更にバッテリ電気部品を含む取り付けアッセンブリの斜視図である。
【図７】取り付けアッセンブリ及びバッテリ電気部品の分解斜視図である。
【図８】取り付けアッセンブリ及び付加バッテリ電気部品の分解斜視図である。
【図９】バッテリ端子ポストの周辺に配置する前のバッテリ及び取り付けアッセンブリの斜視図である。
【図１０】内部ウェッジとともにバッテリ端子ポストの周囲に配置される取り付けアッセンブリの非係合状態での部分斜視図である。
【図１１】係合位置に向かって移動させる内部ウェッジとともに、バッテリ端子ポストの周囲に配置される取り付けアッセンブリの部分斜視図である。
【図１２】内部ウェッジとともに、バッテリ端子ポストの周囲に配置される取り付けアッセンブリの係合状態での部分斜視図である。
【発明を実施するための形態】
【００１１】
図１〜図１２を参照して、バッテリ２２に装着するための、垂直取り付けバッテリ端子の取り付けアッセンブリ２０を詳述する。１つの態様では、バッテリ２２は端子ポスト２４を含む。
【００１２】
図１を参照すると、ポスト装着構造２６は、ウェッジ移動部３０とともに形成される接触部２８を含む。１つの態様では、接触部２８は、バッテリ２２の端子ポスト２４を取り囲むように成形されている。ウェッジ移動部３０は、角度付きスライド面３４によって連結されている対向壁３２を含む。１つの態様では、接触部２８を、ウェッジ移動部３０とともにモノリシックに形成してもよい。
【００１３】
１つの態様では、接触部２８は、開放された頂部３８及び底部４０を有する環状壁３６を含んでもよい。環状壁３６は、ウェッジ移動部３０に移行するネック４２を含んでもよい。ネック４２は、自身内に形成され、より詳細に後述するように端子接点４６に適合する切出しスロット４４を含んでもよい。
【００１４】
また、取り付けアッセンブリ２０は、ポスト装着構造２６内に配置される内部ウェッジ４８を含む。内部ウェッジ４８は、角度付き壁５４によって連結された対向する側壁５２を有するＵ字状体５０を含む。対向する側壁５２は、自身から延びる端子接点４６を含む。また、取り付けアッセンブリ２０は、コアボルト５６を含む。コアボルト５６は、回転固定され、ポスト装着構造２６の中を通って空洞５８の中へ延びている。空洞５８は、内部ウェッジ４８の離隔された対向する側壁５２によって定められている。１つの態様では、より詳細に後述するように、ヘッド６０がスピン又は回転できないように、コアボルト５６のヘッド６０を固定することによって、コアボルト５６を回転固定してもよい。
【００１５】
ナット６２を、コアボルト５６に通し、内部ウェッジ４８の上縁６４に接触させてもよい。代わりに、ワッシャ６６を、ナット６２とともにコアボルト５６の周囲に配置してもよい。ナット６２はワッシャ６６に接触する。今度は、ワッシャ６６が内部ウェッジ４８の上縁６４に接触する。ナット６２を回転させることによって、内部ウェッジ４８に下向き力７０が加わるように、内部ウェッジ４８における角度付き壁５４の外面は、ポスト装着構造２６の角度付きスライド面３４に係合する。角度付き壁５４及びスライド面３４の接触は、下向き力７０を、端子接点４６を端子ポスト２４との係合に移動させる水平力７２に均等に変換する。
【００１６】
１つの態様では、内部ウェッジ４８の角度付き壁５４及び角度付きスライド面３４の角度は、垂直軸から計測して１５度から２５度であってもよい。非係合状態での部品の角度は、接点の水平移動をもたらすナットの垂直移動を可能にし、結果、接点は確実かつ均等に端子ポスト２４に係合する。
【００１７】
図５を参照すると、下向き力７０だけではなく、コアボルト５６及びナット６２に関連して対向する上向き力７１を含む力の変換が示されている。更に、内部ウェッジ４８及びポスト装着構造２６間に加わるスライド力７４，７６が示されている。更に、描かれているように、水平力７２は端子接点４６に均等に加えられ、取り付けアッセンブリ２０は、バッテリ２２の端子ポスト２４の周囲に確実に係合される。
【００１８】
再び図１及び図２を参照すると、ウェッジ移動部３０は、開放された頂部と、底面７８を含む。底面７８内に形成され、コアボルト５６を受け入れるスロット８０を、底面７８は有する。端子接点４６は、内部ウェッジ４８の対向する側壁５２に対して外側に延びる湾曲体８２を含んでもよい。１つの態様では、湾曲体８２は、端子ポスト２４の可変的な係合直径を定める。内部ウェッジがバッテリ端子ポストの周囲へのポスト装着構造の簡単な組み立てを可能にし、また、様々な端子ポストサイズとの端子接点の係合を可能にするように、このような係合直径は、バッテリの様々なポストサイズに適合してもよい。
【００１９】
図６〜図８を参照すると、バッテリ２２上に配置された付加バッテリ電気部品８４が描かれている。１つの態様では、付加バッテリ電気部品８４は、付加ワイヤーハーネスを、単一端子の取り付けアッセンブリ２０からバッテリに連結することを可能とするバッテリフューザ端子であってもよい。１つの態様では、コアボルト５６は、付加バッテリ電気部品８４によって回転固定されてもよい。図７を参照すると、付加電気部品８４の１つのバージョンが示されている。コアボルト５６は、通しシャフト８６を有するヘッド６０を含む。通しシャフト８６は、ヘッド６０から延び、ナット６２と係合する。バッテリ電気部品８４は、スルーホール８８を有する空洞を含む。スルーホール８８は空洞内に形成されている。通しシャフト８６は、スルーホール８８を有する空洞の中を通って延びている。コアボルト５６のヘッド６０は、スルーホール８８を有する空洞内に配置され、回転制限されるか、又は、コアボルト５６の回転を阻むように固定される。
【００２０】
図８を参照すると、コアボルト５６が通しシャフト８６を有するヘッド６０を含み、通しシャフト８６がヘッド６０から延びてナット６２と係合する付加バッテリ部品が示されている。描かれている実施の形態では、バッテリ電気部品８４を、再び、コアボルト５６のヘッド６０に連結し、回転を阻むか、又は、コアボルトの回転を制限する。コアボルト５６のヘッド６０を付加電気部品８４に固定するために、様々な方法及び構造を用いてもよい。例えば、恒久的にコアボルト５６を回転固定するために、コアボルト５６を、付加部品８４とともに、圧入したり、溶接したり、モールドしてもよい。
【００２１】
図９〜図１２を参照すると、取り付けアッセンブリ２０の作用及び装着が描かれている。図９及び図１０を参照すると、内部ウェッジ４８はポスト装着構造２６内に配置され、コアボルト５６は、ポスト装着構造２６及び内部ウェッジ４８の中を通る。ナット６２をコアボルト５６に通し、内部ウェッジ４８の上縁６４に接触させる。この状態では、内部ウェッジ４８は非係合位置であるので、ポスト装着構造２６をバッテリ２２の端子ポスト２４の周囲に取り付けてもよく、端子接点４６は端子ポスト２４と係合していない。
【００２２】
図１１及び図１２を参照すると、下向き力が内部ウェッジ４８に加わるように、ナット６２をコアボルト５６上で締めてもよい。角度付き壁５４及びスライド面３４の接触は、下向き力７０を、端子接点４６を端子ポスト２４の係合に向けて移動させる水平力７２に均等に変換する。ナット６２を継続して回転させることによって、内部ウェッジ４８に下向き力が加わり、端子接点４６が端子ポスト２４との係合位置となるまで、端子接点４６の水平移動が継続される。係合位置では、端子接点４６は、端子ポストの一部分で端子ポスト２４と係合し、ポスト装着構造２６の接触部２８は、端子ポスト２４の付加部分を取り囲む。係合位置では、均等な力が端子接点４６に加わり、端子ポスト２４と一体となっている取り付けアッセンブリ２０を確実に保持する。
【００２３】
本願は、２０１６年１１月２８日に出願された米国特許出願第１５／３６１，９４１号明細書の優先権を主張する。米国特許出願第１５／３６１，９４１号明細書の開示は、参照によって本明細書に組み込まれる。
【図１】
2019532476.tif 000003
【図２】
2019532476.tif 000004
【図３】
2019532476.tif 000005
【図４】
2019532476.tif 000006
【図５】
2019532476.tif 000007
【図６】
2019532476.tif 000008
【図７】
2019532476.tif 000009
【図８】
2019532476.tif 000010
【図９】
2019532476.tif 000011
【図１０】
2019532476.tif 000012
【図１１】
2019532476.tif 000013
【図１２】
2019532476.tif 000014
【国際調査報告】
2019532476.tif 000015